(57)【要約】【課題】  回路規模を小さくして小型化を図るとともに、簡単な操作によって選局できるようにする。【解決手段】  ＵＨＦ帯のデジタルテレビジョン信号を第１の中間周波信号に直交変換する第１の混合器２６、２７と、ＶＨＦ帯のデジタルテレビジョン信号をＵＨＦ帯に周波数変換する第二の混合器３０とを備え、ＵＨＦ帯に変換されたＶＨＦ帯のテレビジョン信号を第１の混合器２６、２７に入力すると共に第１の混合器２６、２７によって第１の中間周波信号に直交変換することで、直交変換の系統を１つにした。【選択図】        図１
2006339868.tif 000002
【特許請求の範囲】
【請求項１】
ＵＨＦ帯のデジタルテレビジョン信号を第１の中間周波信号に直交変換する第１の混合器と、ＶＨＦ帯のデジタルテレビジョン信号をＵＨＦ帯に周波数変換する第二の混合器とを備え、ＵＨＦ帯に変換された前記ＶＨＦ帯のテレビジョン信号を前記第１の混合器に入力すると共に前記第１の中間周波信号に直交変換したことを特徴とする地上デジタル放送受信チューナ。
【請求項２】
前記ＶＨＦ帯のデジタルテレビジョン信号をＵＨＦ放送帯の下端側に隣接した帯域に変換したことを特徴とする請求項１に記載の地上デジタル放送受信チューナ。
【請求項３】
前記第１の混合器に局部発振信号を供給するための発振器を設け、前記発振器から出力される発振信号を１／２に分周するするための第１の分周器を介して前記第１の混合器に供給し、前記第１の分周器によって分周された発振信号をさらに１／２に分周するための第２の分周器を介して前記第２の混合器に供給したことを特徴とする請求項１又は２に記載の地上デジタル放送受信チューナ。
【請求項４】
前記ＵＨＦ帯のデジタルテレビジョン信号と前記ＶＨＦ帯のデジタルテレビジョン信号とが入力される分波器を設け、分波された前記ＵＨＦ帯のデジタルテレビジョン信号を前記第１の混合器に入力し、分波された前記ＶＨＦ帯のデジタルテレビジョン信号を前記第２の混合器に入力したことを特徴とする請求項１又は２又は３に記載の地上デジタル放送受信チューナ。
【請求項５】
前記分波器と前記第１の混合器との間に可変同調回路を設け、ＵＨＦ帯に変換されて前記第２の混合器から出力される前記ＶＨＦ帯のデジタルテレビジョン信号を前記可変同調回路を介して前記第１の混合器に入力したことを特徴とする請求項４に記載の地上デジタル放送受信チューナ。
【請求項６】
前記ＶＨＦ帯のデジタルテレビジョン信号は特定チャンネルに配列されており、前記分波器と前記第２の混合器との間に前記特定チャンネルを通過するバンドパスフィルタを設けたことを特徴とする請求項４又は５に記載の地上デジタル放送受信チューナ。
【請求項７】
前記第１の中間周波信号を第２の中間周波信号に直交変換する第３の混合器と、前記発振器を制御するＰＬＬ回路と、前記ＰＬＬ回路に基準信号を供給する基準発振器とを設け、前記基準信号を１／２に分周して前記第３の混合器に供給したことを特徴とする請求項３乃至６の何れかに記載の地上デジタル放送受信チューナ。
【発明の詳細な説明】
【技術分野】
【０００１】
本発明は地上デジタル放送受信チューナに関する。
【背景技術】
【０００２】
従来の地上デジタル放送受信チューナを図３に示す。図３において、アンテナ１で受信されたＶＨＦ帯のデジタルテレビジョン信号とＵＨＦ帯のデジタルテレビジョン信号とは分波器２によって分離され、ＶＨＦ帯のデジタルテレビジョン信号はＶＨＦバンドパスフィルタ３によって選択され、ＶＨＦ増幅器４を介して後段の二つの混合器５、６に入力される。
【０００３】
混合器５及び６には位相が直交した局部発振信号ＬＯ／Ｉ、ＬＯ／Ｑがそれぞれ供給される。各混合器５、６に入力されたＶＨＦ帯のデジタルテレビジョン信号は直交変換され、位相が直交するベースバンド信号（Ｉ信号、Ｑ信号）が出力される。各ベースバンド信号はそれぞれＩＦバンドパスフィルタ７、８を介してＡ／Ｄ変換器９、１０によってデジタル信号に変換される。
【０００４】
同様に、分波器２によって分離されたＵＨＦ帯のデジタルテレビジョン信号はＵＨＦバンドパスフィルタ１１によって選択され、ＵＨＦ増幅器１２を介して二つの混合器１３、１４に入力される。混合器１３及び１４には位相が直交した局部発振信号ＬＯ／Ｉ、ＬＯ／Ｑがそれぞれ供給される。各混合器１３、１４に入力されたＵＨＦ帯のデジタルテレビジョン信号は直交変換され、位相が直交するベースバンド信号（Ｉ信号、Ｑ信号）が出力される。各ベースバンド信号はそれぞれＩＦバンドパスフィルタ１５、１６を介してＡ／Ｄ変換器１７、１８によってデジタル信号に変換される。
【０００５】
Ａ／Ｄ変換器９から出力されたＩ信号と、Ａ／Ｄ変換器１７から出力されたＩ信号とは第一の切替回路１９に入力され、Ａ／Ｄ変換器１０から出力されたＱ信号と、Ａ／Ｄ変換器１８から出力されたＱ信号とは第二の切替回路２０に入力される。第一及び第二の切替回路１９、２０は局部発振部２１から出力されるバンド切替信号ＢＳによって連動し、ＶＨＦ信号に基づくＩ信号及びＱ信号を出力するか又はＵＨＦ信号に基づくＩ信号及びＱ信号を出力するように切り替えられる（例えば、特許文献１参照。）。
【０００６】
【特許文献１】特開２００５−０６４７６４号公報（図１）
【発明の開示】
【発明が解決しようとする課題】
【０００７】
従来のデジタル放送受信チューナでは、ＵＨＦ帯のデジタルテレビジョン信号を直交変換してＡ／Ｄ変換するまでの構成とＶＨＦ帯のデジタルテレビジョン信号を直交変換してＡ／Ｄ変換するまでの構成とが独立していたので、全体の回路規模が大きくなり、携帯電話機等に使用するには不向きであった。
【０００８】
本発明は、回路規模を小さくして小型化を図ることを目的とする。
【課題を解決するための手段】
【０００９】
第１の解決手段として、ＵＨＦ帯のデジタルテレビジョン信号を第１の中間周波信号に直交変換する第１の混合器と、ＶＨＦ帯のデジタルテレビジョン信号をＵＨＦ帯に周波数変換する第二の混合器とを備え、ＵＨＦ帯に変換された前記ＶＨＦ帯のテレビジョン信号を前記第１の混合器に入力すると共に前記第１の中間周波信号に直交変換した。
【００１０】
また、第２の解決手段として、前記ＶＨＦ帯のデジタルテレビジョン信号をＵＨＦ放送帯の下端側に隣接した帯域に変換した。
【００１１】
また、第３の解決手段として、前記第１の混合器に局部発振信号を供給するための発振器を設け、前記発振器から出力される発振信号を１／２に分周するするための第１の分周器を介して前記第１の混合器に供給し、前記第１の分周器によって分周された発振信号をさらに１／２に分周するための第２の分周器を介して前記第２の混合器に供給した。
【００１２】
また、第４の解決手段として、前記ＵＨＦ帯のデジタルテレビジョン信号と前記ＶＨＦ帯のデジタルテレビジョン信号とが入力される分波器を設け、分波された前記ＵＨＦ帯のデジタルテレビジョン信号を前記第１の混合器に入力し、分波された前記ＶＨＦ帯のデジタルテレビジョン信号を前記第２の混合器に入力した。
【００１３】
また、第５の解決手段として、前記分波器と前記第１の混合器との間に可変同調回路を設け、ＵＨＦ帯に変換されて前記第２の混合器から出力される前記ＶＨＦ帯のデジタルテレビジョン信号を前記可変同調回路を介して前記第１の混合器に入力した。
【００１４】
また、第６の解決手段として、前記ＶＨＦ帯のデジタルテレビジョン信号は特定チャンネルに配列されており、前記分波器と前記第２の混合器との間に前記特定チャンネルを通過するバンドパスフィルタを設けた。
【００１５】
また、第７の解決手段として、前記第１の中間周波信号を第２の中間周波信号に直交変換する第３の混合器と、前記発振器を制御するＰＬＬ回路と、前記ＰＬＬ回路に基準信号を供給する基準発振器とを設け、前記基準信号を１／２に分周して前記第３の混合器に供給した。
【発明の効果】
【００１６】
第１の解決手段によれば、ＵＨＦ帯のデジタルテレビジョン信号を第１の中間周波信号に直交変換する第１の混合器と、ＶＨＦ帯のデジタルテレビジョン信号をＵＨＦ帯に周波数変換する第二の混合器とを備え、ＵＨＦ帯に変換されたＶＨＦ帯のテレビジョン信号を第１の混合器に入力すると共に第１の中間周波信号に直交変換したので、ＵＨＦ帯のデジタルテレビジョン信号とＶＨＦ帯のデジタルテレビジョン信号とを同じ混合器によって中間周波信号に直交変換でき、構成が簡単となり、回路規模を小さくできる。
【００１７】
また、第２の解決手段によれば、ＶＨＦ帯のデジタルテレビジョン信号をＵＨＦ放送帯の下端側に隣接した帯域に変換したので、ＵＨＦ帯のデジタルテレビジョン信号とＶＨＦ帯のデジタルテレビジョン信号とを切り替えることなく受信できる。
【００１８】
また、第３の解決手段によれば、第１の混合器に局部発振信号を供給するための発振器を設け、発振器から出力される発振信号を１／２に分周するするための第１の分周器を介して第１の混合器に供給し、第１の分周器によって分周された発振信号をさらに１／２に分周するための第２の分周器を介して第２の混合器に供給したので、共通の発振器を使用してＵＨＦ帯のデジタルテレビジョン信号とＶＨＦ帯のデジタルテレビジョン信号とを受信できる。
【００１９】
また、第４の解決手段によれば、ＵＨＦ帯のデジタルテレビジョン信号とＶＨＦ帯のデジタルテレビジョン信号とが入力される分波器を設け、分波されたＵＨＦ帯のデジタルテレビジョン信号を記第１の混合器に入力し、分波されたＶＨＦ帯のデジタルテレビジョン信号を第２の混合器に入力したので、入力系統を１つにすることができる。
【００２０】
また、第５の解決手段によれば、分波器と第１の混合器との間に可変同調回路を設け、ＵＨＦ帯に変換されて第２の混合器から出力されるＶＨＦ帯のデジタルテレビジョン信号を可変同調回路を介して第１の混合器に入力したので、可変同調回路によってＵＨＦ帯のデジタルテレビジョン信号とＶＨＦ帯のデジタルテレビジョン信号とを選局できる。
【００２１】
また、第６の解決手段によれば、ＶＨＦ帯のデジタルテレビジョン信号は特定チャンネルに配列されており、分波器と第２の混合器との間に特定チャンネルを通過するバンドパスフィルタを設けたので、ＶＨＦ帯のデジタルテレビジョン信号以外の信号を除去できる。
【００２２】
また、第７の解決手段によれば、第１の中間周波信号を第２の中間周波信号に直交変換する第３の混合器と、発振器を制御するＰＬＬ回路と、ＰＬＬ回路に基準信号を供給する基準発振器とを設け、基準信号を１／２に分周して第３の混合器に供給したので、第３の混合器に供給する局部発振信号源を基準発振器で共用できる。
【発明を実施するための最良の形態】
【００２３】
本発明に係る地上デジタル放送受信チューナの構成を図１に示す。図１において、アンテナ２１で受信されたＶＨＦ帯のデジタルテレビジョン信号とＵＨＦ帯のデジタルテレビジョン信号とは分波器２２によって分波される。
【００２４】
ここで、本発明で取り扱うデジタルテレビジョン信号について説明する。現在計画されているデジタルテレビジョンの放送チャンネルは、ＶＨＦ帯のハイチャンネル（チャンネル４〜チャンネル１２のうちのチャンネル７及びチャンネル８）とＵＨＦ帯のチャンネル１３〜チャンネル３６の中のいくつかのチャンネルである。これらの放送チャンネルは帯域内を１３のセグメント（各セグメントの帯域は３／７ＭＨｚ）に分割され、中心の１セグメント又は隣接する３セグメントを使用してＯＦＤＭ変調されたデジタルテレビジョン信号が放送される。放送内容は主として音楽であるが映像放送も計画されており、将来は携帯電話機等に使用されることが予想される。また、放送チャンネル数も増えることが予想される。
【００２５】
図１の説明に戻る。分波器２２から出力されたＵＨＦ帯のデジタルテレビジョン信号は、縦続接続された第１の増幅器２３、可変同調回路２４、第２の増幅器２５を介して直交変換用の第１の混合器２６、２７に入力される。可変同調回路２４はＵＨＦ帯の受信チャンネルに同調するように構成されている。
【００２６】
一方、分波器２２から出力されたＶＨＦ帯のデジタルテレビジョン信号は、バンドパスフィルタ２８、第３の増幅器２９を介して周波数変換用の第２の混合器３０に入力される。バンドパスフィルタはＶＨＦ帯のデジタルテレビジョン信号が放送されるチャンネルの帯域（例えば、チャンネル７とチャンネル８の全帯域）を通過する。また、ＶＨＦ帯のデジタルテレビジョン信号は第２の混合器３０によってＵＨＦ帯に変換される。ＵＨＦ帯に変換されたＶＨＦ帯のデジタルテレビジョン信号は、可変同調回路２４によって選択され、第２の増幅器２５を介して第１の混合器２６、２７に入力される。
【００２７】
２つの第１の混合器２６、２７に供給する直交変換用の局部発振信号と第２の混合器３０に供給する周波数変換用の局部発振信号は発振回路３１から生成される。発振器３１はＰＬＬ回路３２によって制御され、第１の混合器２６、２７に入力されるデジタルテレビジョン信号の周波数に対応しておよそ８００ＭＨｚ〜１５５０ＭＨｚの間で発振する。なお、ＰＬＬ回路３２には、選局用のチャンネルデータが入力され、また、基準発振器３３から位相比較のための基準信号（１６ＭＨｚ）が供給される。また、可変同調回路２４もＰＬＬ回路３２によって同調周波数が制御される。
【００２８】
発振器３１から出力される発振信号は第１の分周器３４によって１／２に分周される。第１の分周器３４は、例えば図２に示すようにマスタースレーブＦ／Ｆ回路３４ａ、３４ｂとインバータ３４ｃとから構成される。発振信号はマスターＦ／Ｆ回路３４ａとスレーブＦ／Ｆ回路３４ｂとに入力されるが、スレーブＦ／Ｆ回路３４ｂにはインバータ３４ｃを介して入力される。この第１の分周器３４はジョンソンカウンタと呼ばれ、スレーブＦ／Ｆ回路３４ｂのＱ出力はマスターＦ／Ｆ回路３４ａのＱ出力よりも位相が９０°遅れる。この９０°位相が異なる信号が局部発振信号（Ｌｏ／Ｉ、Ｌｏ／Ｑ）としてそれぞれ第１の混合器２５、２６の供給される。
【００２９】
また、第１の分周器３４によって分周された発振信号は第２の分周器３５によって１／２に分周され、局部発振信号として第２のミキサ３０に供給される。第２の分周器３５は図２に示す構成のものを使用しても良い。
【００３０】
第１の混合器２６、２７の次段にはそれぞれバンドパスフィルタフィルタ３６、３７を介して第３の混合器３８、３９が接続される。第３の混合器３８、３９の出力は合成器４０に接続される。第３の混合器３８、３９に供給する局部発振信号は第３の分周器４１によって生成される。第３の分周器４１は基準発振信号を１／２に分周して９０°位相が異なる局部発振信号を生成するのでその構成は第１の分周器３４と同じである。従って、この局部発振信号の周波数は８ＭＨｚとなる。
【００３１】
以上の構成において、ＵＨＦ帯のデジタルテレビジョン信号及びＵＨＦ帯に変換されたＶＨＦ帯のデジタルテレビジョン信号は、受信すべきチャンネルが可変同調回路２４で選択されて第１の混合器２６、２７に入力される。
【００３２】
例えば、ＵＨＦ帯のチャンネル１３を受信する場合、帯域の中央に配置されている第７セグメントの中心周波数は４７１．１４２９ＭＨｚである。第１の混合器から出力される第１の中間周波信号（Ｉ／Ｑ）の中心周波数を８．４２８６ＭＨｚとすると、第１の混合器に供給する局部発振信号は４８１．５７１５ＭＨｚとなる。従って、この時の発振器３１の発振周波数は９６３．１４３ＭＨｚとなる。また、第３の混合器３８、３９から出力される第２の中間周波信号（Ｉ／Ｑ）の周波数は０．４２８６ＭＨｚとなる。
【００３３】
また、ＶＨＦ帯のチャンネル７を受信する場合、帯域の中央に配置されている第７セグメントの中心周波数は１９１．１４２９ＭＨｚである。ＶＨＦ帯のデジタルテレビジョン信号をＵＨＦ放送帯の下端に隣接する位置に変換する。従って、この場合、第２の混合器３０に供給する局部発振信号の周波数は１９９．５７１５．ＭＨｚとする。その結果、ＶＨＦ帯のテレビジョン信号は３９０．７１４４ＭＨｚ（＝１９１．１４２９＋１９９．５７１５）に変換される。そして、第１の混合器２６、２７には３９９．１４３ＭＨｚ（＝１９９．５７１５×２）の局部発振信号が供給されているので、第１の中間周波信号は８．４２８６ＭＨｚとなる。発振器３１は７９８．２８６ＭＨｚで発振する。
【００３４】
上述の通り、ＶＨＦ帯のデジタルテレビジョン信号は、ＵＨＦ放送帯の下端（下側のバンドエッジ）よりも低い帯域に変換して第１の混合器２６、２７に入力するので、ＵＨＦ帯とＶＨＦ帯との受信切替を必要としない。
【図面の簡単な説明】
【００３５】
【図１】本発明の地上デジタル放送受信チューナの構成を示す回路図である。
【図２】本発明の地上デジタル放送受信チューナに使用する分周器の回路図である。
【図３】従来の地上デジタル放送受信チューナの構成を示す回路図である。
【符号の説明】
【００３６】
２１：アンテナ
２２：分波器
２３：第１の増幅器
２４：可変同調回路
２５：第２の増幅器
２６、２７：第１の混合器
２８：バンドパスフィルタ
２９：第３の増幅器
３０：第２の混合器
３１：発振器
３２：ＰＬＬ回路
３３：基準発振器
３４：第１の分周器
３５：第２の分周器
３６、３７：バンドパスフィルタ
３８、３９：第３の混合器
４０：合成器
４１：第３の分周器
【図１】
2006339868.tif 000003
【図２】
2006339868.tif 000004
【図３】
2006339868.tif 000005